(57)【要約】【課題】着用感に優れ、吸収能の確保された吸収性物品を提供する。【解決手段】トップシート２とバックシート３とこれらの間に設けられた吸収性コア４を有する吸収性物品１であって、吸収性コア４は、少なくともパルプ繊維を含有し、トップシート２とともに、前後方向ｙに山部５Ａと谷部５Ｂを交互に有する蛇腹状に形成され、トップシート２には、幅方向ｘの一方側と他方側に、幅方向ｘの外方に傾倒し、蛇腹状に形成された吸収性コア４の少なくとも一部と重なって中央フラップ７が設けられている。【選択図】図１
2017217257.tif 000002
【特許請求の範囲】
【請求項１】
幅方向と前後方向を有し、トップシートとバックシートとこれらの間に設けられた吸収性コアを有する吸収性物品であって、
前記吸収性コアは、少なくともパルプ繊維を含有し、前記トップシートとともに、前後方向に山部と谷部を交互に有する蛇腹状に形成され、
前記トップシートには、幅方向の一方側と他方側に、幅方向の外方に傾倒し、前記蛇腹状に形成された吸収性コアの少なくとも一部と重なって中央フラップが設けられていることを特徴とする吸収性物品。
【請求項２】
前記吸収性コアは、蛇腹状に形成された状態の前後方向の長さＬ１が、蛇腹を広げた状態の前後方向の長さＬ２の０．５倍以上０．９倍以下である請求項１に記載の吸収性物品。
【請求項３】
前記一方側の中央フラップの起立基部と前記他方側の中央フラップの起立基部との間の距離が６０ｍｍ以下である請求項１または２に記載の吸収性物品。
【請求項４】
前記中央フラップには、前後方向に延びる弾性部材が設けられている請求項１〜３のいずれか一項に記載の吸収性物品。
【請求項５】
前記中央フラップには、前後方向に延びる弾性部材が幅方向に並んで複数本設けられている請求項１〜４のいずれか一項に記載の吸収性物品。
【請求項６】
前記中央フラップは液透過性の不織布から構成されている請求項１〜５のいずれか一項に記載の吸収性物品。
【請求項７】
前記吸収性コアは、前記一方側の中央フラップと前記他方側の中央フラップの間に、前後方向に延びる開口または凹部が形成されている請求項１〜６のいずれか一項に記載の吸収性物品。
【請求項８】
前記中央フラップの幅方向の外方に、幅方向の内方に傾倒した防漏フラップが設けられている請求項１〜７のいずれか一項に記載の吸収性物品。
【請求項９】
前記中央フラップと前記防漏フラップは、前記中央フラップの起立基部と前記防漏フラップの起立基部との間の距離が、前記一方側の中央フラップの起立基部と前記他方側の中央フラップの起立基部との間の距離よりも長くなるように設けられている請求項８に記載の吸収性物品。
【発明の詳細な説明】
【技術分野】
【０００１】
本発明は、使い捨ておむつ、尿パッド（失禁パッドを含む）、生理用ナプキン等の吸収性物品に関するものである。
【背景技術】
【０００２】
従来、吸収体や吸収性コア（吸収コア）の形状に工夫を凝らした吸収性物品が様々知られている。例えば特許文献１には、透液性のトップシートと不透液性のバックシートとそれらの間に介在する吸収体とを備える吸収パッドであって、吸収体は、山折りと谷折りとを繰り返して形成された蛇腹構造を有し、吸収体の各山折りおよび谷折りされて形成された凸条部および凹条部が、着用者の身体前側と身体後側とを結ぶ前後方向に延在している吸収パッドが開示されている。特許文献２には、トップシートとバックシートの間に吸収コアを備えた吸収性物品であって、吸収コアがパネル同士間で屈曲可能な腹部パネルと股部パネルと背部パネルと外縁部パネルとに間隔を置いて大別され、各大別パネルが夫々独立してそれらの各パネル面内で前後左右に屈曲可能に構成されている吸収性物品が開示されている。特許文献３には、表面シート、裏面シートおよび両シート間に介在配置された吸収体を備えた縦長の吸収性本体を有する吸収性物品であって、吸収体は、その上面側に、幅方向に延びる複数本の横溝が長手方向に所定ピッチで設けられている吸収性物品が開示されている。
【先行技術文献】
【特許文献】
【０００３】
【特許文献１】特開２０１４−８３２７７号公報
【特許文献２】特開２００４−４９５０７号公報
【特許文献３】特開２００７−１４６３５号公報
【発明の概要】
【発明が解決しようとする課題】
【０００４】
特許文献１〜３に開示された吸収性物品は、着用者の股間部でのフィット性を高めたり、吸収能を高めたりするために、吸収体や吸収性コアの立体形状に工夫を凝らしているが、吸収性物品ではこのように着用感や吸収能を高めることが求められている。本発明は前記事情に鑑みてなされたものであり、その目的は、着用感に優れ、吸収能の確保された吸収性物品を提供することにある。
【課題を解決するための手段】
【０００５】
前記課題を解決することができた本発明の吸収性物品とは、幅方向と前後方向を有し、トップシートとバックシートとこれらの間に設けられた吸収性コアを有する吸収性物品であって；吸収性コアは、少なくともパルプ繊維を含有し、トップシートとともに、前後方向に山部と谷部を交互に有する蛇腹状に形成され；トップシートには、幅方向の一方側と他方側に、幅方向の外方に傾倒し、蛇腹状に形成された吸収性コアの少なくとも一部と重なって中央フラップが設けられているところに特徴を有する。
【０００６】
本発明の吸収性物品は、吸収性コアがトップシートとともに前後方向に山部と谷部を交互に有する蛇腹状に形成されているため、前後方向へ湾曲形成しやすくなり、着用者の股間部でのフィット性を高めることができるとともに、山部と谷部の存在により股間部でのクッション性が高まり、着用感を向上させることができる。また、蛇腹状の谷部に由来して、トップシートと着用者の肌の間に幅方向に延びる隙間が形成されやすくなり、通気性を高めることができる。そして、トップシートの幅方向の一方側と他方側に、幅方向の外方に傾倒し、蛇腹状に形成された吸収性コアの少なくとも一部と重なって中央フラップを設けることにより、吸収性物品の肌面側で尿等の前後方向への拡散性が確保され、吸収性コアが前後方向の広い範囲で吸収能を発揮することができる。
【０００７】
吸収性コアは、蛇腹状に形成された状態の前後方向の長さＬ１が、蛇腹を広げた状態の前後方向の長さＬ２の０．５倍以上０．９倍以下であることが好ましい。Ｌ１／Ｌ２の比がこのような範囲となるように吸収性コアが蛇腹状に形成されていれば、吸収性コアが蛇腹状態で適度な厚みで形成され、クッション性や通気性が好適に確保されるとともに、吸収性コアが過度に嵩張りにくくなる。
【０００８】
中央フラップは、一方側の中央フラップの起立基部と他方側の中央フラップの起立基部との間の距離が６０ｍｍ以下となるように設けられることが好ましい。このように中央フラップを設けることにより、中央フラップが蛇腹状に形成された吸収性コアを広範囲にわたって覆いやすくなる。
【０００９】
中央フラップには、前後方向に延びる弾性部材が設けられていることが好ましい。中央フラップに弾性部材を設けることにより、弾性部材の収縮力によって中央フラップが着用者の肌に向かって立ち上がり、着用者の肌とトップシートの間に空間が形成されやすくなり、通気性を確保しやすくなる。また、中央フラップによって、尿等が前後方向に拡散するための拡散路が好適に形成されやすくなる。
【００１０】
中央フラップには、前後方向に延びる弾性部材が幅方向に並んで複数本設けられていることが好ましい。このように中央フラップに弾性部材を設けることにより、中央フラップの剛性を全体的に高めることができ、着用者の肌とトップシートの間に空間が形成されやすくなるとともに、蛇腹状に形成された吸収性コアの凹凸が着用者の肌に伝わりにくくなる。
【００１１】
中央フラップは液透過性の不織布から構成されていることが好ましい。このように中央フラップを構成することにより、尿等が中央フラップを透過して、吸収性コアに好適に吸収させることができる。また、中央フラップの肌触りをソフトなものとして、着用感を向上させることができる。
【００１２】
吸収性コアは、一方側の中央フラップと他方側の中央フラップの間に、前後方向に延びる開口または凹部が形成されていることが好ましい。このように吸収性コアに開口または凹部を形成することにより、開口または凹部での通気性が高められる。また、開口または凹部が尿等の前後方向への拡散路として機能し、吸収性コアが広範囲にわたって尿等の吸収に寄与しやすくなる。
【００１３】
中央フラップの幅方向の外方には、幅方向の内方に傾倒した防漏フラップが設けられていることが好ましい。防漏フラップにより、尿等の横漏れが防止される。このとき、中央フラップと防漏フラップは、中央フラップの起立基部と防漏フラップの起立基部との間の距離が、一方側の中央フラップの起立基部と他方側の中央フラップの起立基部との間の距離よりも長くなるように設けられていることが好ましく、これにより、中央フラップによって蛇腹状に形成された吸収性コアをより広範囲にわたって覆うことができる。また、防漏フラップは、吸収性物品の幅方向のより外側に設けられることとなるため、吸収性コアは幅方向のより広い範囲が尿等の吸収に寄与できるようになる。
【発明の効果】
【００１４】
本発明の吸収性物品は、吸収性コアがトップシートとともに前後方向に山部と谷部を交互に有する蛇腹状に形成されているため、前後方向へ湾曲形成しやすくなり、着用者の股間部でのフィット性を高めることができるとともに、山部と谷部の存在により股間部でのクッション性が高まり、着用感を向上させることができる。また、蛇腹状の谷部に由来して、トップシートと着用者の肌の間に幅方向に延びる隙間が形成されやすくなり、通気性を高めることができる。そして、トップシートの幅方向の一方側と他方側に、幅方向の外方に傾倒し、蛇腹状に形成された吸収性コアの少なくとも一部と重なって中央フラップを設けることにより、吸収性物品の肌面側での尿等の前後方向への拡散性が確保され、吸収性コアが前後方向の広い範囲で吸収能を発揮することができる。
【図面の簡単な説明】
【００１５】
【図１】本発明の吸収性物品の一例を表し、吸収性物品を肌面側から見た平面図を表す。
【図２】図１に示した吸収性物品のＩＩ−ＩＩ断面図を表す。
【図３】図１に示した吸収性物品のＩＩＩ−ＩＩＩ断面図を表す。
【図４】本発明の吸収性物品の他の例を表し、吸収性物品を肌面側から見た平面図を表す。
【図５】図４に示した吸収性物品のＶ−Ｖ断面図を表す。
【発明を実施するための形態】
【００１６】
本発明の吸収性物品は、トップシートとバックシートとこれらの間に設けられた吸収性コアとを有し、幅方向と前後方向を有する。本発明の吸収性物品の態様としては、使い捨ておむつや尿パッド（失禁パッドを含む）、生理用品等が示される。
【００１７】
本発明において、吸収性物品の前後方向とは、吸収性物品を着用者が着用した際、着用者の股間の前後方向に延びる方向を意味する。吸収性物品の幅方向とは、吸収性物品と同一面上にあり、前後方向と直交する方向を意味する。また、吸収性物品の肌面側とは、吸収性物品を着用した際に着用者の肌に向く側を意味し、吸収性物品の外面側とは、吸収性物品を着用した際の着用者とは反対側を意味する。
【００１８】
吸収性物品の形状は特に限定されない。吸収性物品が尿パッドである場合、吸収性物品の形状としては、略長方形、砂時計形、ひょうたん形等が示される。
【００１９】
吸収性物品が使い捨ておむつである場合、吸収性物品は、例えば、前側部と後側部とこれらの間に位置し吸収性コアが備えられた股部とから構成される。使い捨ておむつとしては、例えば、前側部と後側部とこれらの間に位置する股部とからなる外装部材の肌側面に、トップシートとバックシートの間に吸収性コアが配された吸収性本体が設けられてもよい。このとき、吸収性本体の形状としては略長方形等が示される。使い捨ておむつとしてはまた、トップシートとバックシートの間に吸収性コアが配された積層体が、前側部と後側部とこれらの間に位置する股部とを形成してもよい。なお、前側部は、使い捨ておむつを着用の際に着用者の腹側に当てる部分に相当し、後側部は、使い捨ておむつを着用の際に着用者の背側に当てる部分に相当する。股部は、前側部と後側部との間に位置し、着用者の股間に当てる部分に相当する。
【００２０】
吸収性物品が使い捨ておむつである場合、使い捨ておむつは、後側部の左右側端に止着部材が設けられ、当該止着部材により着用時にパンツ形状に形成するオープンタイプ（テープタイプ）の使い捨ておむつであったり、ウェスト開口部と一対の脚開口部とが形成されたパンツタイプの使い捨ておむつであってもよい。
【００２１】
トップシートは、吸収性コアよりも肌面側に設けられるシートであり、液透過性であることが好ましい。トップシートとしては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００２２】
バックシートは、吸収性コアよりも外面側に設けられるシートであり、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。本発明において、液不透過性には撥水性の意味も含まれる。
【００２３】
外装部材は、液透過性であっても液不透過性であってもよく、トップシートやバックシートに使用可能なシート材料を用いることができる。外装部材は、内側シートに外側シートが積層されて形成されることが好ましく、親水性の内側シートに液不透過性の外側シートが積層されて形成されることがより好ましい。
【００２４】
上記説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。
【００２５】
吸収性コアは、尿等の排泄物を吸収できる吸収性材料を含むものであれば特に限定されない。吸収性コアとしては、例えば、吸収性材料を所定形状に成形した成形体を用いることができる。吸収性コアは、紙シート（例えば、ティッシュペーパーや薄葉紙）や液透過性不織布等のシート部材で覆われてもよい。吸収性コアに含まれる吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸収性材料には、ポリオレフィン繊維（例えば、ポリエチレン繊維、ポリプロピレン繊維等）や、ポリエステル繊維（例えば、ＰＥＴ繊維）、ポリアミド繊維（例えば、ナイロン繊維）等の熱融着性繊維が含まれてもよい。これらの熱融着性繊維は、尿等との親和性を高めるために、界面活性剤等により親水化処理がされていてもよい。
【００２６】
本発明の吸収性物品では、吸収性材料として、吸収性コアが少なくともパルプ繊維を含有している。パルプ繊維は、開繊パルプ繊維の集合体として吸収性コアに含まれていることが好ましい。吸収性コアがパルプ繊維を含有していれば、吸収性コアの保形性が高まり、後述するように、吸収性コアを蛇腹状に形成しやすくなるとともに、蛇腹状に形成した吸収性コアのクッション性を高めることができる。また、着用者から排泄された尿等を速やかに吸収しやすくなる。吸収性コアはさらに、吸収容量を高める点から、吸水性樹脂を含有することが好ましい。この場合、例えば、パルプ繊維の集合体に吸水性樹脂を混合または散布したものを用いることができる。吸収性コアは、例えば、パルプ繊維を５０質量％以上含有することが好ましく、６０質量％以上含有することがより好ましく、７０質量％以上含有することがさらに好ましい。前記割合は、吸収性コア１００質量％中のパルプ繊維の含有率を表す。
【００２７】
吸収性コアの目付は、例えば、１００ｇ／ｍ2以上が好ましく、１２０ｇ／ｍ2以上がより好ましく、１３５ｇ／ｍ2以上がさらに好ましく、また４００ｇ／ｍ2以下が好ましく、３５０ｇ／ｍ2以下がより好ましく、３００ｇ／ｍ2以下がさらに好ましく、２５０ｇ／ｍ2以下が特に好ましい。なお、本発明の吸収性物品は後述するように吸収性コアが蛇腹状に形成されているが、ここで説明した吸収性コアの目付は、吸収性コアの蛇腹を展開した状態での目付を意味する。
【００２８】
吸収性コアの形状（平面形状）は特に限定されない。吸収性コアの形状は、用途に応じて適宜決定すればよく、例えば、略長方形、砂時計形、ひょうたん形、羽子板形等が挙げられる。
【００２９】
吸収性コアは複数の層が積層して形成されてもよい。例えば、吸収性コアは、トップシート側に設けられた上側吸収層とバックシート側に設けられた下側吸収層を有していてもよい。上側吸収層と下側吸収層は、上記の吸収性コアに関する説明と同様に、吸収性材料を含むものであれば特に限定されず、それらの形状（平面形状）も特に限定されない。
【００３０】
本発明の吸収性物品では、吸収性コアが、トップシートとともに、前後方向に山部と谷部を交互に有する蛇腹状に形成されている。本発明の吸収性物品はこのように構成されることにより、前後方向へ湾曲形成しやすくなり、着用者の股間部でのフィット性を高めることができるとともに、山部と谷部の存在により股間部でのクッション性が高まり、吸収性物品を装着した際の着用感を向上させることができる。また、吸収性物品を着用者の肌に密着するように装着した場合でも、蛇腹状の谷部に由来して、トップシートと着用者の肌の間に幅方向に延びる隙間が形成されやすくなり、通気性を確保しやすくなる。そのため、吸収性物品を着用した際の蒸れを低減することができる。
【００３１】
上記に説明した蛇腹状の吸収性コアとトップシートは、吸収性コアをトップシートと重ねた状態で、吸収性物品の前後方向に蛇腹状に折り曲げることにより形成することができる。従って、吸収性コアは、蛇腹の山部と谷部の両方においてトップシートと重なって存在することとなる。吸収性コアがトップシートともに蛇腹状に折り曲げられることにより形成された山部と谷部は、トップシート側から見た山部が吸収性コアのバックシート側から見た谷部に対応し、トップシート側から見た谷部が吸収性コアのバックシート側から見た山部に対応する。なお本発明において、特に断りのない限り、蛇腹の山部と谷部は吸収性物品の肌面側（トップシート側）から見て規定されるものとする。
【００３２】
蛇腹の山部と谷部は、吸収性物品の前後方向断面（すなわち前後方向に延びる切断線における断面）において、山部と谷部が前後方向に交互に存在するように形成されればよい。蛇腹の山部と谷部はそれぞれ、吸収性物品の略幅方向に延在するように形成されるが、完全に幅方向に延在している必要はなく、幅方向に対して斜めに延在したり、曲線状に延在していてもよい。また、２つ（またはそれ以上）の山部が略幅方向に延びる途中で合流して１つの山部となっていてもよく、２つ（またはそれ以上）の谷部が略幅方向に延びる途中で合流して１つの谷部となっていてもよい。各山部の前後方法の長さ（あるいは各谷部の前後方向の長さ）は、同一であっても異なっていてもよい。吸収性コアとトップシートは、全体として前後方向に蛇腹状に折り曲げられていればよい。
【００３３】
吸収性コアは、前後方向に３等分して前方部と後方部とその間の中間部としたときに、少なくとも中間部が蛇腹状に形成されることが好ましい。より好ましくは、中間部が前後方向の全体にわたって蛇腹状に形成される。吸収性コアは、前方部と後方部も蛇腹状に形成されてもよい。吸収性コアの中間部は、吸収性コアが蛇腹状に形成された状態で、例えば水平な台に置くなど無負荷の状態で、前後方向に３等分されることにより規定される。
【００３４】
蛇腹状に形成された吸収性コアの山部と谷部はそれぞれ複数個設けられることが好ましい。吸収性コアに形成される山部と谷部の数はそれぞれ、５個以上が好ましく、８個以上が好ましく、１０個以上がさらに好ましい。吸収性コアに形成される山部と谷部の数の上限は特に限定されないが、例えば、５０個以下であってもよく、４０個以下であってもよく、３０個以下であってもよい。吸収性コアに形成される山部と谷部の数は、吸収性コアの前後方向断面におけるそれぞれの数を数えるものとする。また、吸収性コアの中間部に形成される山部と谷部の数はそれぞれ、３個以上が好ましく、５個以上が好ましく、７個以上がさらに好ましい。吸収性コアの中間部に形成される山部と谷部の数の上限については、例えば、３０個以下であってもよく、２５個以下であってもよい。
【００３５】
吸収性コアは、蛇腹状に形成された状態の前後方向の長さＬ１が、蛇腹を広げた状態の前後方向の長さＬ２の０．５倍以上０．９倍以下であることが好ましい。Ｌ１／Ｌ２の比がこのような範囲となるように吸収性コアが蛇腹状に形成されていれば、吸収性コアが蛇腹状態で適度な厚みで形成され、クッション性や通気性が好適に確保されるとともに、吸収性コアが過度に嵩張りにくくなる。Ｌ１／Ｌ２の比は、０．６倍以上がより好ましく、また０．８倍以下がより好ましい。
【００３６】
吸収性コアは、少なくとも前後方向の中間部の全体にわたって、トップシートと直接または間接的に接着されていることが好ましく、吸収性コアの全体にわたって、トップシートと直接または間接的に接着されていることがより好ましい。例えば、吸収性コアを広げた状態（蛇腹を展開した状態）で前後方向と幅方向に１ｃｍのメッシュ状に区分したときに、吸収性コアの中間部あるいは吸収性コアの全体において、区分されたいずれの領域でも吸収性コアがトップシートと直接または間接的に接着されていることが好ましい。このように吸収性コアとトップシートとを接着することにより、吸収性コアがトップシートとともに蛇腹状に形成されやすくなる。
【００３７】
吸収性コアとトップシートとは、網状や線状や散点状等の所定のパターンで塗布された接着剤により接着されていることが好ましい。なお、吸収性コアとトップシートとは、線状の接着パターンで接着されていることが好ましく、これによりトップシートの透液性を高めやすくなる。線状の接着パターンは、直線状であってもよく、曲線状であってもよく、これらの組み合わせであってもよい。曲線状の接着パターンとしては、例えば、接着剤が蛇行状やらせん状（スパイラル状）に塗工されたパターンが挙げられる。蛇行状には、例えば、正弦波状やΩ状の繰り返しパターン等が含まれる。線状の接着パターンは、接着剤をコーター法、ビード法、オメガコーティング法、スパイラルコーティング法、パターンコート等により塗工することにより形成することができる。
【００３８】
接着剤としては、ホットメルト接着剤を用いることが製造上簡便であり、中でもゴム系ホットメルト接着剤を用いることが好ましい。ゴム系ホットメルト接着剤としては、スチレン系エラストマーを含むものであることが好ましく、スチレン系エラストマーとしては、スチレン−イソプレン−スチレンブロック共重合体（ＳＩＳ）、スチレン−ブタジエン−スチレンブロック共重合体（ＳＢＳ）、スチレン−エチレン−ブタジエン−スチレンブロック共重合体（ＳＥＢＳ）、スチレン−エチレン−プロピレン−スチレンブロック共重合体（ＳＥＰＳ）等が挙げられる。前記例示したスチレン系エラストマーは、１種のみを用いてもよく、２種以上を併用してもよい。
【００３９】
吸収性コアは、トップシートに加えて、バックシートとともに蛇腹状に形成されていてもよい。この場合、吸収性コアは、バックシートと直接または間接的に接着されていることが好ましい。吸収性コアとバックシートの接着は、上記に説明した吸収性コアとトップシートの接着に準じて行えばよい。
【００４０】
吸収性コアの蛇腹は、隣接する山部どうしまたは谷部どうしが接着されていてもよく、前後方向に展開可能に形成されていてもよい。後者の場合、吸収性コアやトップシートやバックシートに前後方向に延在する弾性部材を設けるようにしてもよい。
【００４１】
吸収性コアは、厚み方向の全体において蛇腹状に折り曲げられていることが好ましく、このように吸収性コアを形成することが容易になる点から、吸収性コアは吸収性材料から構成された吸収層を複数有するのではなく、吸収性材料から構成された吸収層を１つのみ有することが好ましい。具体的には、吸収性コアは、少なくともパルプ繊維を含有する吸収層を１つのみ有することが好ましい。
【００４２】
ところで、上記に説明したように吸収性コアがトップシートとともに前後方向に山部と谷部を交互に有する蛇腹状に形成される場合、トップシート上で尿等の前後方向への拡散性が低下し、吸収性コアの前方部や後方部での吸収能が十分に活用されないおそれがある。そこで本発明の吸収性物品では、トップシートの幅方向の一方側と他方側に、幅方向の外方に傾倒し、蛇腹状に形成された吸収性コアの少なくとも一部と重なって中央フラップが設けられている。中央フラップは、トップシートの肌面側に設けられる。このように中央フラップを設けることにより、吸収性物品の肌面側で尿等の前後方向への拡散性が確保され、吸収性コアが前後方向の広い範囲で吸収能を発揮することが可能となる。
【００４３】
中央フラップは、吸収性コアの蛇腹状に形成された部分の少なくとも一部と重なって設けられればよい。中央フラップと吸収性コアとの重なりは、中央フラップを幅方向の外方に倒伏させた状態で規定される。中央フラップは、少なくとも吸収性コアの前後方向の中間部と重なって設けられることが好ましく、さらに吸収性コアの前方部と後方部と重なって設けられてもよい。中央フラップは、吸収性コアの前後方向の全体にわたって設けられてもよい。なお中央フラップは、吸収性コアの幅方向の全体にわたって重なるように設けられないことが好ましい。具体的には、吸収性コアは、中央フラップが幅方向の外方に倒伏した状態で、中央フラップの幅方向の外縁よりも外方に延在していることが好ましく、これにより吸収性物品を装着した際の通気性を確保しやすくなる。より好ましくは、吸収性コアは、前方部と中間部と後方部のいずれにおいても、中央フラップの幅方向の外縁よりも外方に延在している。
【００４４】
中央フラップは、トップシートの幅方向の一方側と他方側にそれぞれ設けられるが、一方側の中央フラップと他方側の中央フラップは互いに近接して設けられることが好ましい。具体的には、一方側の中央フラップの起立基部と他方側の中央フラップの起立基部との間の距離（すなわち中央フラップの起立基部間の距離）が６０ｍｍ以下であることが好ましく、５０ｍｍ以下であることがより好ましく、４０ｍｍ以下であることがさらに好ましい。このように中央フラップを設けることにより、中央フラップが吸収性コアの蛇腹状に形成された部分（特に吸収性コアの幅方向の中央部を含む部分）を広範囲に覆いやすくなる。なお、中央フラップの立ち上がる起点を起立基部と称し、中央フラップの立ち上がった先端を自由端と称する。
【００４５】
中央フラップの起立基部間の距離は、中央フラップの起立基部から自由端までの長さの１．８倍以下となることが好ましく、１．６倍以下がより好ましい。このように中央フラップを形成することにより、中央フラップが幅方向の内方に倒れにくくなる。すなわち、一方側の中央フラップが幅方向の内方に倒れそうになったとしても、他方側の中央フラップが邪魔になって、中央フラップが幅方向の内方に完全に倒れるのが阻止されやすくなる。
【００４６】
中央フラップには、前後方向に延びる弾性部材が設けられることが好ましい。中央フラップに弾性部材を設けることにより、弾性部材の収縮力によって中央フラップが着用者の肌に向かって立ち上がり、着用者の肌とトップシートの間に空間が形成されやすくなり、通気性を確保しやすくなる。また、中央フラップによって、尿等が前後方向に拡散するための拡散路が好適に形成されやすくなる。
【００４７】
中央フラップは、少なくとも自由端の近傍に弾性部材が設けられることが好ましい。具体的には、中央フラップの起立基部から自由端に至る領域を３等分して、基部側領域と自由端側領域とその間の中間領域としたとき、少なくとも自由端側領域に弾性部材が設けられることが好ましい。自由端側領域に設けられた弾性部材によって中央フラップの自由端を高く立ち上げることができ、着用者の肌とトップシートの間により広い空間が形成されやすくなる。
【００４８】
中央フラップには、前後方向に延びる弾性部材が幅方向に並んで複数本設けられることが好ましい。このように中央フラップに弾性部材を設けることにより、中央フラップの剛性を全体的に高めることができ、着用者の肌とトップシートの間に空間が形成されやすくなるとともに、蛇腹状に形成された吸収性コアの凹凸が着用者の肌に伝わりにくくすることができる。より好ましくは、中央フラップには、自由端側領域に加えて、基部側領域および／または中間領域にも弾性部材が設けられる。
【００４９】
弾性部材は接着剤等の公知の接合手段により中央フラップに固定されればよい。なお、中央フラップに弾性部材が幅方向に並んで複数本設けられる場合、隣接する弾性部材間には接着剤が塗工されない領域（接着剤非塗工領域）が設けられることが好ましく、これにより中央フラップが接着剤によって強張って形成されにくくなり、中央フラップの肌触りを向上させることができる。
【００５０】
中央フラップは、幅方向の外方に傾倒して立ち上がりやすくするために、幅方向の外側面の前後端部がトップシートに直接または間接的に接合されていることが好ましい。中央フラップの幅方向の外側面の前後端部がトップシートに接合されることにより、中央フラップの前側端部と後側端部の間の部分が起立可能に形成される。なお中央フラップの外側面とは、中央フラップが立ち上がった状態で、中央フラップの幅方向に対する外側面を意味する。中央フラップの前側端部と後側端部はそれぞれ、中央フラップの前側端または後側端を含む部分として規定され、中央フラップの前後方向に対する相対位置として前側端を０％とし後側端を１００％としたとき、例えば前側端部が０％〜１５％の領域に対応し、後側端部が８５％〜１００％の領域に対応する。なお、当該相対位置は吸収性物品を完全に広げた状態で規定され、中央フラップに弾性部材が設けられる場合は、弾性部材を細かく切断するなどして収縮力が発現しない状態で規定される。
【００５１】
中央フラップは、例えば、トップシートの上にセンターシートを配し、センターシートの幅方向の中央部をトップシートに接合することにより形成することができる。あるいは、トップシートの幅方向の両側に右側センターシートと左側センターシートを配し、右側センターシートと左側センターシートの幅方向の内方部をトップシートに接合することにより形成することができる。中央フラップに弾性部材を設ける場合は、これらのセンターシートに弾性部材を取り付ければよい。
【００５２】
中央フラップは、液透過性であっても液不透過性であってもよく、従って、センターシート（左側センターシートと右側センターシートを含む）には、トップシートやバックシートに使用可能なシート材料を用いることができる。なお、中央フラップあるいはセンターシートは液透過性であることが好ましく、これにより、尿等が中央フラップやセンターシートを透過して、吸収性コアに好適に吸収させることができる。より好ましくは、中央フラップあるいはセンターシートは液透過性の不織布から構成され、これにより中央フラップの肌触りをソフトなものとすることができ、着用感を向上させることができる。
【００５３】
吸収性コアには、幅方向の中央部に、前後方向に延びる開口または凹部が形成されていることが好ましい。開口または凹部は、吸収性コアの幅方向の中心線を含み、当該中心線に沿って前後方向に延びるように形成されていればよい。なお、前後方向に延びる開口または凹部とは、幅方向よりも前後方向に長い形状を有する開口または凹部を意味する。このように吸収性コアに開口または凹部を形成することにより、開口または凹部での通気性が高められる。また、開口または凹部が尿等の前後方向への拡散路として機能し、尿等が吸収性物品に速やかに吸収されやすくなるとともに、吸収性コアが広範囲にわたって尿等の吸収に寄与しやすくなる。
【００５４】
開口は、吸収性コアを厚み方向に貫通して設けられる。凹部は、吸収性コアの目付が部分的に減らされることにより形成される。凹部は、目付けが、凹部以外の部分よりも６０質量％以下（より好ましくは５０質量％以下であり、さらに好ましくは４０質量％以下である）となるように形成されることが好ましい。
【００５５】
吸収性コアに凹部が形成される場合、凹部は吸収性コアのトップシート側の表面に形成されても、バックシート側の表面に形成されてもよい。吸収性コアが上側吸収層と下側吸収層から構成される場合は、上側吸収層に開口が形成され、当該開口を覆うように下側吸収層が設けられることにより、吸収性コアに凹部が形成されてもよく、逆に下側吸収層に開口が形成され、当該開口を覆うように上側吸収層が設けられることにより、吸収性コアに凹部が形成されてもよい。好ましくは、凹部は吸収性コアのトップシート側の表面に形成される。
【００５６】
吸収性コアには、開口または凹部が１つのみ設けられてもよく、２つ以上設けられてもよいが、好ましくは、開口または凹部は吸収性コアに１つのみ設けられる。すなわち、吸収性コアには開口または凹部が１つのみ設けられ、当該開口または凹部は、幅方向の中央部に前後方向に延びるように設けられることが好ましい。このように吸収性コアに開口または凹部が形成されることにより、着用者の臀部が載せられる部分は吸収性コアが蛇腹状に形成されてクッション性が確保されるとともに、左右の臀部の間には開口または凹部が設けられて通気性を高めることができる。
【００５７】
開口または凹部は、幅方向の長さが、吸収性コアの最も幅狭な部分の幅方向の長さの５％以上となることが好ましく、８％以上がより好ましく、１０％以上がさらに好ましく、また３０％以下が好ましく、２５％以下がより好ましく、２０％以下がさらに好ましい。なお、吸収性コアの最も幅狭な部分とは、吸収性コアの前後方向の中間部において幅方向に最も狭く形成された部分を意味する。開口または凹部の幅はまた、５ｍｍ以上が好ましく、８ｍｍ以上がより好ましく、３５ｍｍ以下が好ましく、２５ｍｍ以下がより好ましい。
【００５８】
開口または凹部は、少なくとも吸収性コアの前後方向の中間部に設けられることが好ましく、さらに吸収性コアの前方部および／または後方部に延在していてもよい。なお、開口または凹部は吸収性コアの前後方向の全体にわたって設けられないことが好ましく、すなわち、開口または凹部の前側端は吸収性コアの前側端よりも後方に位置し、開口または凹部の後側端は吸収性コアの後側端よりも前方に位置していることが好ましい。
【００５９】
吸収性コアには、開口と凹部のうち、特に開口が設けられることが好ましい。吸収性コアの幅方向の中央部に前後方向に延びる開口が設けられていれば、吸収性コアに幅方向の内方に向かう力がかかっても、吸収性コアの蛇腹が歪むことが抑えられ、吸収性コアが蛇腹状に好適に維持されやすくなる。
【００６０】
吸収性物品には、中央フラップの幅方向の外方に、幅方向の内方に傾倒した防漏フラップが設けられることが好ましい。防漏フラップにより、尿等の横漏れが防止される。
【００６１】
防漏フラップには、前後方向に延びる弾性部材が設けられることが好ましい。防漏フラップに弾性部材を設けることにより、弾性部材の収縮力によって防漏フラップが着用者の肌に向かって立ち上がりやすくなる。防漏フラップは、立ち上がる起点を起立基部とし、立ち上がった先端を自由端としたとき、少なくとも自由端の近傍に弾性部材が設けられることが好ましい。具体的には、防漏フラップの起立基部から自由端に至る領域を３等分して、基部側領域と自由端側領域とその間の中間領域としたとき、少なくとも自由端側領域に弾性部材が設けられることが好ましい。防漏フラップには、弾性部材が幅方向に並んで複数設けられていてもよい。
【００６２】
弾性部材は接着剤等の公知の接合手段により防漏フラップに固定されればよい。なお、防漏フラップに弾性部材が幅方向に並んで複数本設けられる場合、隣接する弾性部材間には接着剤が塗工されない領域（接着剤非塗工領域）が設けられることが好ましく、これにより防漏フラップが接着剤によって強張って形成されにくくなり、防漏フラップの肌触りを向上させることができる。
【００６３】
防漏フラップは、吸収性物品の前後方向の全長にわたって設けられてもよく、吸収性物品の前後方向の一部に設けられてもよい。なお、防漏フラップによる横漏れ防止効果を高める点から、防漏フラップは、吸収性物品の前後方向の７０％以上の長さで設けられることが好ましく、８０％以上がより好ましく、９０％以上がさらに好ましい。
【００６４】
防漏フラップは、幅方向の内方に傾倒して立ち上がりやすくするために、幅方向の内側面の前後端部がトップシートに直接または間接的に接合されていることが好ましい。防漏フラップの幅方向の内側面の前後端部がトップシートに接合されることにより、防漏フラップの前側端部と後側端部の間の部分が起立可能に形成される。なお防漏フラップの内側面とは、防漏フラップが立ち上がった状態で、防漏フラップの幅方向に対する内側面を意味する。防漏フラップの前側端部と後側端部はそれぞれ、防漏フラップの前側端または後側端を含む部分として規定され、防漏フラップの前後方向に対する相対位置として前側端を０％とし後側端を１００％としたとき、例えば前側端部が０％〜１５％の領域に対応し、後側端部が８５％〜１００％の領域に対応する。なお、当該相対位置は吸収性物品を完全に広げた状態で規定され、防漏フラップに弾性部材が設けられる場合は、弾性部材を細かく切断するなどして収縮力が発現しない状態で規定される。
【００６５】
防漏フラップは、中央フラップと重ならないように設けられることが好ましい。具体的には、中央フラップと防漏フラップは、倒伏した状態で互いに離間するように形成されていることが好ましい。このように中央フラップと防漏フラップが形成されていれば、吸収性物品を使用する際、中央フラップと防漏フラップが互いに邪魔されずに立ち上がりやすくなる。
【００６６】
中央フラップと防漏フラップは、中央フラップの起立基部と防漏フラップの起立基部との間の距離が、一方側の中央フラップの起立基部と他方側の中央フラップの起立基部との間の距離よりも長くなるように設けられていることが好ましい。この場合、幅方向の一方側と他方側の中央フラップは互いに接近して設けられることとなるため、中央フラップによって蛇腹状に形成された吸収性コアをより広範囲にわたって覆うことができる。また、防漏フラップは、吸収性物品の幅方向のより外側に設けられることとなるため、吸収性コアの広い範囲が尿等の吸収に寄与でき、また防漏フラップによって尿等の横漏れが効果的に防止されるようになる。なお、中央フラップの起立基部と防漏フラップの起立基部との間の距離は、中央フラップと当該中央フラップの幅方向の外方に位置する防漏フラップとの間の距離を意味する。
【００６７】
防漏フラップは、例えば、トップシートの幅方向の両側に、前後方向に延在するサイドシートを接合し、サイドシートの幅方向の内方部に弾性部材を設けることにより形成することができる。このようにサイドシートと弾性部材を設けることにより、弾性部材の収縮力によりサイドシートの幅方向の内方部が着用者の肌に向かって立ち上がり、防漏フラップが形成される。防漏フラップまたはサイドシートは、液不透過性のプラスチックフィルムや液不透過性の不織布等により構成されることが好ましい。
【００６８】
本発明の吸収性物品には、上記に説明した弾性部材以外に、さらに別の弾性部材が設けられていてもよい。例えば吸収性物品には、幅方向の両端部に前後方向に延びる弾性部材が設けられたり、前後方向の両端部に幅方向に延びる弾性部材が設けられてもよい。吸収性物品の幅方向の両端部に前後方向に延びる弾性部材が設けられることにより、着用者の脚周りのフィット性が高められ、脚周りからの尿等の漏れが防止される。吸収性物品の前後方向の両端部に幅方向に延びる弾性部材が設けられることにより、着用者の腰周りのフィット性が高められ、腹部や背部からの尿等の漏れが防止される。
【００６９】
また、一方側の中央フラップと他方側の中央フラップの間に前後方向に延びる弾性部材が設けられてもよく、これにより中央フラップの起立基部が着用者の肌に向かって持ち上げられ、吸収性物品を着用した際、中央フラップが蛇腹状に形成された吸収性コアと重なって位置しやすくなる。
【００７０】
上記に説明した各弾性部材としては、ポリウレタン糸、ポリウレタンフィルム、天然ゴム等の通常の吸収性物品に用いられる弾性伸縮材料を用いることができる。弾性部材は、伸張状態で、ホットメルト接着剤等の接着剤で固定されることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００７１】
次に、本発明の吸収性物品の構成例について、図面を参照して説明する。図面では、吸収性物品としてオープンタイプ（テープタイプ）の使い捨ておむつが示されている。なお本発明は、図面に示された実施態様に限定されるものではない。
【００７２】
図１〜図３には、本発明の吸収性物品の一例を示した。図１は、吸収性物品としてオープンタイプの使い捨ておむつを肌面側から見た平面図を表し、図２は、図１に示した吸収性物品のＩＩ−ＩＩ断面図を表し、図３は、図１に示した吸収性物品のＩＩＩ−ＩＩＩ部分断面図を表す。図３のＩＩＩ−ＩＩＩ断面図は、吸収性コアが蛇腹状に折り畳まれた部分の断面図を示している。本願の図では、矢印ｘが幅方向、矢印ｙが前後方向を表し、矢印ｘ，ｙにより形成される面に対して垂直方向が厚み方向（上下方向）ｚを表す。なお図１では、図面の上側が吸収性物品の前側に相当し、図面の下側が吸収性物品の後側に相当する。
【００７３】
吸収性物品１（１Ａ）は、トップシート２とバックシート３との間に配された吸収性コア４とを有する。トップシート２を透過した排泄物は、吸収性コア４により収容される。バックシート３は吸収性コア４の外面側に設けられ、排泄物が外部へ漏れるのを防いでいる。吸収性物品１Ａでは、吸収性コア４は砂時計形に形成されている。
【００７４】
吸収性物品１Ａの前後方向ｙの後側部には、左右側端部に止着部材１５が取り付けられている。止着部材１５は基材シート１６に留め具１７が設けられて構成されている。吸収性物品１Ａは、着用者の股間に当てて、止着部材１５の留め具１７を吸収性物品１Ａの前側部の外側面に接合することで、装着することができる。留め具１７としては、フック・ループ・ファスナーのフック部材や粘着剤を採用することができる。
【００７５】
吸収性コア４は、少なくともパルプ繊維を含有し、トップシート２とともに、前後方向ｙに山部５Ａと谷部５Ｂを交互に有する蛇腹状に形成されている。吸収性コア４がトップシート２とともに蛇腹状に形成されることにより、山部５Ａと谷部５Ｂを有する蛇腹部５が形成される。このように蛇腹部５が形成されることにより、吸収性物品１Ａは前後方向ｙへ湾曲形成しやすくなり、着用者の股間部でのフィット性を高めることができるとともに、股間部でのクッション性を高めることができる。また、蛇腹部５の谷部５Ｂに由来して、トップシート２と着用者の肌の間に幅方向ｘに延びる隙間が形成されやすくなり、通気性を確保しやすくなる。なお、図３に示されるように、吸収性物品１Ａでは、吸収性コア４がトップシート２とバックシート３とともに蛇腹状に折り曲げられて、蛇腹部５が形成されている。
【００７６】
トップシート２には、幅方向ｘの一方側と他方側に、幅方向ｘの外方に傾倒し、蛇腹状に形成された吸収性コア４の少なくとも一部と重なって中央フラップ７が設けられている。すなわち、中央フラップ７は蛇腹部５の少なくとも一部と重なって設けられている。図面では、トップシート２の上にセンターシート９が配され、センターシート９の幅方向ｘの中央部をトップシート２に接合し、センターシート９の幅方向ｘの両端部が立ち上がるように形成することで、中央フラップ７が形成されている。中央フラップ７は、幅方向ｘの一方側の中央フラップ７Ａと他方側の中央フラップ７Ｂとから構成されている。中央フラップ７が設けられることにより、吸収性物品１Ａの肌面側で尿等の排泄物の前後方向ｙへの拡散性が確保され、吸収性コア４が広範囲にわたって尿等の吸収に寄与しやすくなる。図面では、中央フラップ７は、吸収性コア４の前後方向ｙの全体にわたって設けられるとともに、吸収性コア４の前後方向ｙの全体にわたって、吸収性コア４の幅方向ｘの外縁よりも内方に設けられている。
【００７７】
中央フラップ７には、前後方向ｙに延びる弾性部材８が設けられている。中央フラップ７に弾性部材８を設けることにより、中央フラップ７が着用者の肌に向かって立ち上がり、着用者の肌とトップシート２の間に空間が形成されやすくなり、通気性を確保しやすくなる。また、一方側の中央フラップ７Ａと他方側の中央フラップ７Ｂの間に、尿等が前後方向ｙに拡散するための拡散路が好適に形成されやすくなる。
【００７８】
吸収性物品１Ａでは、中央フラップ７に、前後方向ｙに延びる弾性部材８が幅方向ｘに並んで複数本（図面では一方側の中央フラップ７Ａと他方側の中央フラップ７Ｂに３本ずつ）設けられている。中央フラップ７に弾性部材８を複数本設けることにより、中央フラップ７の剛性を全体的に高めることができ、着用者の肌とトップシート２の間に空間が形成されやすくなるとともに、蛇腹部５の凹凸が着用者の肌に伝わりにくくすることができる。
【００７９】
吸収性コア４には、一方側の中央フラップ７Ａと他方側の中央フラップ７Ｂの間に、前後方向ｙに延びる開口６が形成されている。吸収性コア４に開口６を設けることにより、開口６での通気性を高めることができる。また、開口６を尿等の前後方向ｙへの拡散路として機能させることもできる。
【００８０】
吸収性物品１Ａの幅方向ｘの両側には、吸収性コア４の幅方向ｘの外方に、脚用弾性部材１３が設けられている。脚用弾性部材１３により着用者の脚周りに沿ったレッグギャザーが形成され、脚周りからの尿等の排泄物の漏れが防止される。
【００８１】
吸収性物品１Ａの前後方向ｙの端部には、吸収性コア４の前後方向ｙの外方に、ウェスト用弾性部材１４が設けられている。ウェスト用弾性部材１４により着用者の腰周りに沿ったウェストギャザーが形成され、背中側や腹側からの尿等の漏れが防止される。
【００８２】
次に、本発明の吸収性物品の他の構成例について説明する。図４は、吸収性物品としてオープンタイプの使い捨ておむつを肌面側から見た平面図を表し、図５は、図４に示した吸収性物品のＶ−Ｖ断面図を表す。なお、下記の説明において、上記の説明と重複する部分の説明を省略する。
【００８３】
図４および図５に示した吸収性物品１（１Ｂ）では、中央フラップ７の幅方向ｘの外方に、幅方向ｘの内方に傾倒した防漏フラップ１０が設けられている。防漏フラップ１０によって、吸収性物品１Ｂからの横漏れを防止することができる。
【００８４】
防漏フラップ１０には、前後方向ｙに延びる弾性部材１１が設けられている。防漏フラップ１０に弾性部材１１が設けられることにより、防漏フラップ１０が着用者の肌に向かって立ち上がりやすくなり、吸収性物品１Ｂからの横漏れを防止することができる。
【００８５】
図面では、トップシート２の上にサイドシート１２が配され、サイドシート１２の幅方向ｘの外方部をトップシート２またはバックシート３に接合し、サイドシート１２の幅方向ｘの内方部に弾性部材１１を設けることにより、防漏フラップ１０が形成されている。防漏フラップ１０は、幅方向ｘの一方側の防漏フラップ１０Ａと他方側の防漏フラップ１０Ｂとから構成されている。
【００８６】
中央フラップ７と防漏フラップ１０は、中央フラップ７Ａ（または７Ｂ）の起立基部と防漏フラップ１０Ａ（または１０Ｂ）の起立基部との間の距離が、一方側の中央フラップ７Ａの起立基部と他方側の中央フラップ７Ｂの起立基部との間の距離よりも長くなるように設けられている。このように中央フラップ７と防漏フラップ１０を設けることにより、中央フラップ７によって蛇腹部５のより広い範囲を覆うことができる。また、防漏フラップ１０は、吸収性物品１Ｂの幅方向ｘのより外側に設けられることとなるため、吸収性コア４は幅方向ｘの広い範囲が尿等の吸収に寄与できるとともに、防漏フラップ１０によって尿等の横漏れが効果的に防止されるようになる。
【００８７】
以上、本発明の吸収性物品の構成例について説明したが、本発明の吸収性物品は上記の構成例に様々な変形を加えることができる。例えば、吸収性コア４に開口６の代わりに凹部を形成してもよい。また、図２や図５では、弾性部材８がセンターシート９の一方面（図面では下側の面）に取り付けられ、弾性部材１１がサイドシート１２の一方面（図面では下側の面）に取り付けられているが、センターシート９やサイドシート１２を複層構造としてその層間に弾性部材８や弾性部材１１を設けてもよい。その他の弾性部材についても、任意に配設または除去することができる。
【符号の説明】
【００８８】
１，１Ａ，１Ｂ：吸収性物品
２：トップシート
３：バックシート
４：吸収性コア
５：蛇腹部、５Ａ：山部、５Ｂ：谷部
６：開口
７：中央フラップ
８，１１，１３，１４：弾性部材
１０：防漏フラップ
【図１】
2017217257.tif 000003
【図２】
2017217257.tif 000004
【図３】
2017217257.tif 000005
【図４】
2017217257.tif 000006
【図５】
2017217257.tif 000007